(57)【要約】【課題】粉末断熱材を使用せず、かつ支受構造を簡素化することで全体の軽量化を図り、しかも、作業が簡単で、断熱性能の低下を招きにくい液化ガス貯蔵タンクを提供する。【解決手段】タンクローリー等の車両に搭載される移動式の液化ガス貯蔵タンクもしくは定置式の液化ガス貯蔵タンクであって、タンク本体１の内周面もしくは外周面に、内部が真空排気によって断熱された金属膜製の真空断熱パネル２が貼着されている。【選択図】図１
2007040386.tif 000002
【特許請求の範囲】
【請求項１】
タンクローリー等の車両に搭載される移動式の液化ガス貯蔵タンクもしくは定置式の液化ガス貯蔵タンクであって、タンク本体の内周面もしくは外周面に、内部が真空排気によって断熱された金属膜製密封袋体が取り付けられていることを特徴とする液化ガス貯蔵タンク。
【請求項２】
上記密封袋体は、相対向する金属膜同士間に、少なくとも一方の金属膜に固定された粒子状の低伝熱性材料を介在させた状態で、上記両金属膜が貼り合わされてなり、上記粒子の粒径によって上記両金属膜同士間に真空断熱用空間が形成されている請求項１記載の液化ガス貯蔵タンク。
【請求項３】
タンクローリー等の車両に搭載される移動式の液化ガス貯蔵タンクであって、タンク本体内に液相部とその上側の気相部とが形成され、上記液相部に対応する上記タンク本体の周壁の部分が、内部が真空排気によって断熱された内外二重壁構造に形成され、上記気相部に防波板が配設されていることを特徴とする液化ガス貯蔵タンク。
【請求項４】
上記気相部に対応する上記タンク本体の周壁の部分に断熱材が設けられている請求項３記載の液化ガス貯蔵タンク。
【請求項５】
内部が真空排気によって断熱された密封袋体であって、相対向する金属膜同士間に、少なくとも一方の金属膜に固定された粒子状の低伝熱性材料を介在させた状態で、上記両金属膜が貼り合わされてなり、上記粒子の粒径によって上記両金属膜同士間に真空断熱用空間が形成されていることを特徴とする密封袋体。
【発明の詳細な説明】
【技術分野】
【０００１】
本発明は、タンクローリー等の車両に搭載される移動式の液化ガス貯蔵タンクや定置式の液化ガス貯蔵タンクおよびそれに用いる密封袋体に関するものである。
【背景技術】
【０００２】
一般に、液体窒素，液体酸素等の極低温液化ガスを運搬するタンクローリー等の車両に搭載される移動式のタンク等は、図１４に示すような断熱二重容器で構成されている。この断熱二重容器は、例えば液体酸素（図示せず）を貯蔵する内槽２１と、この内槽２１を取り囲む外槽２２とを備えており、これら内槽２１と外槽２２との間の間隙にパーライト（商標）等の粉末断熱材２３を充填し、さらに上記間隙を真空排気したもので構成されている。また、図１５に示すように、内槽２１の上面にマット状の補助断熱材２４を接着，固定して内槽２１の上面の断熱性能の低下を防ぐようにしたものも提案されている。図１４および図１５において、２５は真空吸引弁、２６はサポートであり、図１５において、２７は内槽２１に補助断熱材２４を縛り付けているひもである。
【特許文献１】特開平７−２４３５９０号公報
【発明の開示】
【発明が解決しようとする課題】
【０００３】
しかしながら、図１４に示す断熱二重容器では、粉末断熱材２３の重量が重いため、タンク等の支受構造の強度を大きくする必要があり、その分重量がかなり重くなるとともに装置のコストがアップする。しかも、内槽２１と外槽２２間の間隙に隙間なく均一に粉末断熱材２３を充填することが難しく、粉末断熱材２３の充填密度にむらが生じ、断熱性能全体としてみると、性能が低くなるという事態を招きやすい。また、図１５に示す断熱二重容器では、内槽２１の上面の断熱性能が低下するのを防止できるものの、依然として上記２つの問題が残っている。
【０００４】
本発明は、このような事情に鑑みなされたもので、粉末断熱材を使用せず、かつ支受構造を簡素化することで全体の軽量化を図り、しかも、作業が簡単で、断熱性能の低下を招きにくい液化ガス貯蔵タンクおよびそれに用いる密封袋体の提供をその目的とする。
【課題を解決するための手段】
【０００５】
上記の目的を達成するため、本発明は、タンクローリー等の車両に搭載される移動式の液化ガス貯蔵タンクもしくは定置式の液化ガス貯蔵タンクであって、タンク本体の内周面もしくは外周面に、内部が真空排気によって断熱された金属膜製密封袋体が取り付けられている液化ガス貯蔵タンクを第１の要旨とし、タンクローリー等の車両に搭載される移動式の液化ガス貯蔵タンクであって、タンク本体内に液相部とその上側の気相部とが形成され、上記液相部に対応する上記タンク本体の周壁の部分が、内部が真空排気によって断熱された内外二重壁構造に形成され、上記気相部に防波板が配設されている液化ガス貯蔵タンクを第２の要旨とし、内部が真空排気によって断熱された密封袋体であって、相対向する金属膜同士間に、少なくとも一方の金属膜に固定された粒子状の低伝熱性材料を介在させた状態で、上記両金属膜が貼り合わされてなり、上記粒子の粒径によって上記両金属膜同士間に真空断熱用空間が形成されている密封袋体を第３の要旨とする。
【発明の効果】
【０００６】
すなわち、本発明の第１の液化ガス貯蔵タンクは、タンクローリー等の車両に搭載される移動式の液化ガス貯蔵タンクもしくは定置式の液化ガス貯蔵タンクであり、タンク本体の内周面もしくは外周面に、内部が真空排気によって断熱された金属膜製密封袋体が取り付けられている。したがって、金属膜製密封袋体の内部の真空断熱用空間により、タンク本体の内周部もしくは外周部に真空断熱層を形成することができ、この真空断熱層で断熱する、特に輻射熱の伝達を効果的に抑えることができる。しかも、タンク本体の内部に粉末断熱材を充填しておらず、かつ金属膜製密封袋体は粉末断熱材に比べて大幅に軽いため、本発明の第１の液化ガス貯蔵タンクの支受構造を簡素化でき、全体として大幅な重量の軽減を実現することができるとともに、省資材によるコストダウンも図ることができる。しかも、製造，施工に際しては、タンク本体の内周面もしくは外周面に金属膜製密封袋体を取り付けるだけで足り、作業が簡単であるうえ、確実に真空断熱することができ、金属膜製密封袋体の内部の真空断熱作用によることから断熱性能の低下を招きにくい。
【０００７】
また、本発明の第２の液化ガス貯蔵タンクは、タンクローリー等の車両に搭載される移動式の液化ガス貯蔵タンクであり、タンク本体内に液相部とその上側の気相部とが形成され、上記液相部に対応する上記タンク本体の周壁の部分が、内部が真空排気によって断熱された内外二重壁構造に形成され、上記気相部に防波板が配設されている。したがって、内外二重壁構造の内部の真空断熱用空間により、タンク本体の周壁に真空断熱層を形成することができ、この真空断熱層で断熱する、特に輻射熱の伝達を効果的に抑えることができる。しかも、上記気相部に対応する上記タンク本体の周壁の部分に真空断熱層を形成していないものの、上記気相部には防波板が配設されているため、車両移動中に車両が揺動等し、これに伴って液相部の液体が揺動しても、この液体が防波板でタンク本体の内周面の頂部等に達するのを防ぐことができ、上記気相部に対応する上記タンク本体の周壁の部分から液相部の液体に外部熱が伝達されるのを防ぐことができる。しかも、上記気相部に対応する上記タンク本体の周壁の部分が内外二重壁構造になっていないため、タンク本体が軽くなっており、本発明の第２の液化ガス貯蔵タンクの支受構造を簡素化でき、全体として大幅な重量の軽減を実現することができるとともに、省資材によるコストダウンも図ることができる。しかも、製造，施工に際しては、上記液相部に対応する上記タンク本体の周壁の部分に内外二重壁構造の真空断熱層を形成するだけで足り、作業が簡単であるうえ、確実に真空断熱することができ、真空断熱層の真空断熱作用によることから断熱性能の低下を招きにくい。
【０００８】
また、本発明の第１の液化ガス貯蔵タンクにおいて、上記密封袋体は、相対向する金属膜同士間に、少なくとも一方の金属膜に固定された粒子状の低伝熱性材料を介在させた状態で、上記両金属膜が貼り合わされてなり、上記粒子の粒径によって上記両金属膜同士間に真空断熱用空間が形成されていると、上記粒子状の低伝熱性材料により、上記一側面から他側面への熱の伝達が効果的に抑制され、優れた断熱性能を有する。しかも、少なくとも一方の金属膜に粒子状の低伝熱性材料が固定されているため、金属膜製袋本体内で粒子状の低伝熱性材料が移動することがなく、密封袋体を液化ガス貯蔵タンクの周面にどのような姿勢で貼着しても、金属膜製袋本体内にその全体にわたって真空断熱用空間を確保することができる。
【０００９】
また、本発明の第２の液化ガス貯蔵タンクにおいて、上記気相部に対応する上記タンク本体の周壁の部分に断熱材が設けられていると、この断熱材で、上記気相部に対応する上記タンク本体の周壁の部分を断熱することができる。なお、上記断熱材は、簡易で、軽量で、施工等も簡単に行えるものでよい。
【００１０】
一方、本発明の密封袋体によれば、これを上記両液化ガス貯蔵タンクに用いることで、上記優れた効果を奏する。しかも、上記したように、粒子状の低伝熱性材料により、上記一側面から他側面への熱の伝達が効果的に抑制されるうえ、少なくとも一方の金属膜に粒子状の低伝熱性材料が固定されているため、密封袋体を液化ガス貯蔵タンクの周面にどのような姿勢で貼着しても、金属膜製袋本体内にその全体にわたって真空断熱用空間を確保することができる。
【発明を実施するための最良の形態】
【００１１】
つぎに、本発明を実施の形態にもとづいて詳しく説明する。
【００１２】
図１および図２は本発明の第１の液化ガス貯蔵タンクの一実施の形態を示している。この実施の形態では、液化ガス貯蔵タンクとして、タンクローリーに搭載される移動式（移動用）の液化ガス貯蔵タンクが用いられている。これらの図において、１は液体酸素等の極低温液化ガス（図示せず）を貯蔵するステンレス製のタンク本体であり、略円筒形状の胴体部分１ａと、この胴体部分１ａの左右両端の開口部を閉塞する湾曲形状の左右一対の閉塞壁部分１ｂとからなっている。このタンク本体１は、従来の断熱二重容器における外槽（例えば、図１４および図１５の外槽２２参照）と同様の形状，寸法に形成されている。
【００１３】
２は上記タンク本体１の内周面にその円周方向に沿って貼着された多数の帯状の真空断熱パネル（密封袋体）であり、その内部が真空排気により断熱されている。上記各真空断熱パネル２は、図３に示すように、アルミニウム箔（厚み１０〜２００μ）を用いて作製された縦断面略四角形枠体状の袋本体（幅３０〜８０ｃｍ，長さ１００〜２００ｃｍ，厚み０．５〜５ｃｍ）１１を主材とし、その長さ方向をタンク本体１の円周方向に合わせるようにタンク本体１の内周面に貼着されており、かつ隣接する袋本体１１同士の間に隙間ができないように周設されている。この袋本体１１には、その内周面の相対向する両側面のうちの一側面（タンク本体１の内周面に貼着された状態で、外周壁となる一側壁の内周面）に、多数のセラミック粒子（粒子状の低伝熱性材料）１２（例えば、粒径０．１〜１０ｍｍ）（図１および図２では、図示せず）が蒸着されており、これら各セラミック粒子１２の粒径や各セラミック粒子１２間の距離を利用して、袋本体１１の内部に真空断熱用空間が形成されている。図３において、１３は蒸着部である。
【００１４】
上記真空断熱パネル２を作製する場合には、例えば、平板状に形成された帯状の第１アルミニウム箔１１ａ、およびこのアルミニウム箔１１ａの上面外周縁に沿って形成された長方形状枠状体１１ｂとこの長方形状枠状体１１ｂの上面開口を閉塞する天井板１１ｃとからなる帯状の第２アルミニウム箔１１ｄを準備し、第１アルミニウム箔１１ａの上面に多数のセラミック粒子１２を略均一に分散して蒸着し、つぎに、第１アルミニウム箔１１ａ上に第２アルミニウム箔１１ｄを載置して第１アルミニウム箔１１ａの上面外周部と第２アルミニウム箔１１ｄの長方形状枠状体１１ｂの下端部とを密封状に溶接して貼り合わせ（図３参照）、そののち、両アルミニウム箔１１ａ，１１ｄの内部空間を公知の手段により真空排気により断熱することを行う。このとき、上記蒸着および溶接は、アルミニウム箔からなる袋本体１１を損わないように低温で行われる。
【００１５】
このように構成，作製された真空断熱パネル２では、各セラミック粒子１２の粒径，各セラミック粒子１２間の距離，袋本体１１（両アルミニウム箔１１ａ，１１ｄ）の周方向の長さ等を利用し、上記相対向する両側面のうちの一側面（第１アルミニウム箔１１ａの内面）に蒸着された多数のセラミック粒子１２の先端部が、上記相対向する両側面のうちの他側面（タンク本体１の内周面に貼着された状態で、内周壁となる一側壁の内周面で、第２アルミニウム箔１１ｄの天井板１１ｃの内面）に当接してスペーサーとして作用し、真空断熱用空間のための空隙を確保し、また、隣接するセラミック粒子１２同士が当接し合うことによっても、真空断熱用空間のための空隙を確保している。また、各セラミック粒子１２が、上記一側面に蒸着されていて移動しないため、真空断熱パネル２をタンク本体１の内周面にどのような姿勢で貼着しても、各セラミック粒子１２が袋本体１１内のいずれかの部分に偏在することがなく、真空断熱パネル２の全体にわたって略均一に上記空隙を確保することができる。
【００１６】
このような真空断熱パネル２は、タンク本体１の内周面に、通常２層（１層もしくは３層以上でもよい）スポット溶接等で貼着されており、これにより、タンク本体１の内周部に、多数の真空断熱用空間からなる保冷層（真空断熱層）が設けられている。より詳しく説明すると、上記タンク本体１の胴体部分１ａの内周面の全体に真空断熱パネル２がスポット溶接等で貼着されており、これにより、タンク本体１の内周部に第１の保冷層が形成されている。そしてさらに真空断熱の効果を高めるため、この第１の保冷層の上に、上記と同様にして、さらに真空断熱パネル２が敷設され、溶接等で貼着されて第２の保冷層が形成されている。
【００１７】
一方、上記タンク本体１の両閉塞壁部分１ｂの内周面にもその全面に真空断熱パネル２がスポット溶接等で貼着されている。この場合、両閉塞壁部分１ｂの側端側では、その形状に対応する形状の真空断熱パネル２（上記真空断熱パネル２と同様の構造をしている）がスポット溶接等で貼着されており、これら貼着された各真空断熱パネル２の上にもさらに真空断熱パネル２が貼着されて二層の保冷層が形成されている。
【００１８】
このようなタンクを、つぎのようにして製作することができる。すなわち、まず、一側開口部（図４〜図６では、右側開口部）からタンク本体１内に作業員が入り、タンク本体１の他端側の閉塞壁部分１ｂ（図４〜図６では、左側の閉塞壁部分１ｂ）の内周面にその一側からその部分の形状に合わせてつくられた真空断熱パネル２をスポット溶接し、順次他側に向かって、それぞれの形状に合わせてつくられた真空断熱パネル２を施工する（図４参照）。そして、その上からさらに、上記と同様にして、真空断熱パネル２（図１，図４〜図６では、図示せず）をスポット溶接し、２層の保冷層を形成する。つぎに、タンク本体１の胴体部分１ａの内周面の他端部（図４〜図６では、左側端部）に真空断熱パネル２を周方向に並置し、スポット溶接で貼着する。これを繰り返し、その周方向の全周に真空断熱パネル２（この実施の形態では、３本の真空断熱パネル２）を貼着，固定する（図５参照）。このようにしてタンク本体１の他端部内周面の全周に１層の保冷層を形成したのち、この層の上に、さらに上記と同様にして、真空断熱パネル２（図１，図２，図５および図６では、図示せず）を積重溶接し、２層目の保冷層を形成する。
【００１９】
つぎに、上記２層に積重した真空断熱パネル２の隣りに、上記と同様にして、２層に積重した真空断熱パネル２を形成する。このようにして、タンク本体１の他端側から順次施工することにより、タンク本体１の胴体部分１ａ内部の全てに、２層に積重した真空断熱パネル２を設ける（図６参照。図１，図６では、２層目の真空断熱パネル２を図示せず）。つぎに、作業員は胴体部分１ａ内部から出て、内周面に真空断熱パネル２がスポット溶接された右側の閉塞壁部分１ｂ（図１参照）をタンク本体１の右側開口部に溶接，固定する。これにより、作業が完了し、目的物（図１参照）が得られる。
【００２０】
このように、上記実施の形態では、上記タンク本体１の内周部に保冷層が形成されているため、充分な真空断熱が行える。しかも、上記各真空断熱パネル２は軽く、上記タンク本体１の支受構造を強くする必要がなくなり、全体の大幅な軽量化を実現することができるとともに、省資材化が可能となり、コストダウンも達成することができる。しかも、上記各真空断熱パネル２の貼着作業が簡単であり、目視により確認できることから、確実に均一に貼着することができ、断熱材の偏在にもとづく断熱性能の低下を招かない。しかも、上記各真空断熱パネル２に設けた多数のセラミック粒子１２の粒径等により、真空断熱に際しても袋本体１１の内面同士の密着が防がれ、真空断熱用空間が確保されることから、高度な真空状態に耐えうるようになる。
【００２１】
図７および図８は本発明の第１の液化ガス貯蔵タンクの他の実施の形態を示している。この実施の形態では、タンク本体１の内周面のうち、上側部分（略３／１０円弧状部分）を残した部分（略７／１０円弧状部分）にだけ真空断熱パネル２が貼着されており、上記上側部分には真空断熱パネル２が貼着されていない。すなわち、タンク本体１の内部にその内容積の７０％程度の極低温液化ガス（図示せず）を収容した場合に、気相部となる部分には真空断熱パネル２が貼着されておらず、液相部となる部分に真空断熱パネル２が貼着されている。また、上記上側部分には、その内周面から、略扇状に形成された（すなわち、上面が、上記上側部分の内周面に沿うようにして略３／１０円弧状に形成されているとともに、下面が水平面に形成された）複数枚の防波板１５が突設されており、上記気相部となる部分に配設されている。これら複数枚の防波板１５は、上記タンク本体１の長手方向に対し所定の傾斜角度α（１５〜４５°程度）で傾斜した状態で、上記タンク本体１の長手方向に沿って略等間隔で並設状に溶接，固定されており、タンクローリーの走行中にタンク本体１内の極低温液化ガスが揺動したときに、極低温液化ガスがタンク本体１の内周面の上記上側部分に接触するのを防ぐ作用をする。それ以外の部分は上記実施の形態と同様であり、同様の部分には同じ符号を付している。
【００２２】
この実施の形態でも、上記実施の形態と同様の作用・効果を奏する。しかも、タンク本体１の内部にその内容積の７０％程度の極低温液化ガスを収容した場合に、極低温液化ガスの周りにはタンク本体１の内周面に真空断熱パネル２が貼着されており、断熱効果を奏する。しかも、タンクローリーの走行中にタンク本体１内の極低温液化ガスが揺動した場合にも、防波板１５により極低温液化ガスがタンク本体１の内周面の上記上側部分に触れることがなく、極低温液化ガスに外部熱が伝達されるのを防ぐことができる。しかも、真空断熱パネル２の貼着量が減少し、さらにタンク本体１の軽量化を図ることができる。
【００２３】
図９および図１０は本発明の第１の液化ガス貯蔵タンクのさらに他の実施の形態を示している。この実施の形態では、図７および図８に示す密封容器において、タンク本体１には、その外周面のうち、上側部分（略３／１０円弧状部分）を残した部分（略７／１０円弧状部分）に多数の真空断熱パネル２が貼着されている。したがって、タンク本体１の内周面には真空断熱パネル２が貼着されていない。それ以外の部分は、図７および図８に示す実施の形態と同様であり、同様の部分には同じ符号を付している。この実施の形態でも、図７および図８に示す実施の形態と同様の作用・効果を奏する。しかも、タンク本体１の外周面に真空断熱パネル２を貼着する場合には、貼着作業がさらに容易になる。
【００２４】
図１１および図１２は本発明の第２の液化ガス貯蔵タンクの一実施の形態を示している。この実施の形態では、図７および図８に示す実施の形態において、その内周面のうち、上側部分（略３／１０円弧状部分）を残した部分（略７／１０円弧状部分）に、上記タンク本体１の内周面との間に所定の隙間を設けた状態でタンク本体１の内側に配設されるステンレス製の真空断熱用内壁１７と、この真空断熱用内壁１７の外周縁に沿った状態でタンク本体１と真空断熱用内壁１７との間に配設されこれらタンク本体１と真空断熱用内壁１７との隙間を閉塞する側周壁１８とが設けられており、これにより、内部に密封空間が形成された内外二重壁構造が形成されている。この内外二重壁構造の内部の密封空間は、真空排気により断熱されており、真空断熱用空間（真空断熱層）として作用している。また、上記上側部分に対応する上記タンク本体１の部分（すなわち、気相部に対応する上記タンク本体１の部分）には、その外周面に、グラスウール，パーライト等の断熱材１６を取り付け、その外周部をカラートタン等の化粧板（図示せず）で覆い、上記断熱材１６への雨等の水浸入を防止するようにしている。それ以外の部分は図７および図８に示す実施の形態と同様であり、同様の部分には同じ符号を付している。
【００２５】
この実施の形態でも、タンク本体１の周壁に、内外二重壁構造からなる真空断熱層を形成することができ、この真空断熱層で断熱することができる。しかも、気相部に対応する上記タンク本体１の周壁の部分に真空断熱層を形成していないものの、上記気相部には防波板１５が配設されているため、タンクローリーの走行中にタンク本体１内の極低温液化ガスが揺動しても、防波板１５でタンク本体１の内周面の頂部等に達するのを防ぐことができ、上記気相部に対応する上記タンク本体１の周壁の部分から極低温液化ガスに外部熱が伝達されるのを防ぐことができる。しかも、上記気相部に対応する上記タンク本体１の周壁の部分が内外二重壁構造になっていないため、タンク本体１が軽くなっており、タンク本体１の支受構造を簡素化でき、全体として大幅な重量の軽減を実現することができるとともに、省資材によるコストダウンも図ることができる。しかも、製造，施工に際しては、極低温液化ガスに対応する上記タンク本体１の周壁の部分に真空断熱用内壁１７，側周壁１８を設けるだけで足り、作業が簡単であるうえ、確実に真空断熱することができ、真空断熱層の真空断熱作用によることから断熱性能の低下を招きにくい。しかも、上記断熱材１６により、上記気相部に対応する上記タンク本体１の部分をも断熱することができる。
【００２６】
図１３は上記真空断熱パネル２の変形例を示している。この例では、上記袋本体１１の内部に１枚の金属箔、例えばステンレス箔（厚み０．０１〜１ｍｍ）製の帯状仕切体１９が、上記袋本体１１の長手方向に沿って配設されており、この帯状仕切体１９により、上記袋本体１１の内部が上下２つの真空断熱用空間に気密状に仕切られている。そして、上記帯状仕切体１９の一側面（上記タンク本体１の内周面に貼着された状態で、内周面となる一側面）に多数のセラミック粒子１２が蒸着されている。それ以外の部分は図３に示す真空断熱パネル２と同様であり、同様の部分には同じ符号を付している。この例の真空断熱パネル２を用いた場合にも、図１〜図６に示す実施の形態と同様の作用・効果を奏する。しかも、１つの真空断熱パネル２に２層の真空断熱用空間が形成されているため、真空断熱性能に優れる。
【００２７】
なお、図１〜図１０に示す３つの実施の形態および図１３に示す真空断熱パネル２の変形例では、真空断熱パネル２の袋本体１１，帯状仕切体１９の材料として、アルミニウム箔を用いているが、これに限定するものではなく、ステンレス箔，銅箔，チタン箔等の各種金属箔を用いてもよい。また、上記袋本体１１の内周面の両側面，帯状仕切体１９の両側面に多数のセラミック粒子１２を蒸着してもよい。また、上記袋本体１１の内周面等に多数のセラミック粒子１２を蒸着して固定しているが、蒸着以外の各種の固定手段を用いてもよい。また、セラミック粒子１２に代えて、ＦＰＲ（強化プラスチック），シリカ粒子等を用いてもよい。また、図１１および図１２に示す実施の形態では、真空断熱用内壁１７の材料として、ステンレス板を用いているが、各種の金属板を用いてもよい。
【００２８】
また、図１〜図６に示す実施の形態において、タンク本体１の外周面の全面に真空断熱パネル２を貼着してもよい。すなわち、タンク本体１の内周面の全面および外周面の全面の双方に真空断熱パネル２を貼着してもよい。また、図１〜図６に示す実施の形態において、タンク本体１の外周面の全面にだけ真空断熱パネル２を貼着してもよい。この場合には、タンク本体１の内周面に真空断熱パネル２を全く貼着しない。また、図７および図８に示す実施の形態において、タンク本体１の外周面の、上記上側部分を残した部分に真空断熱パネル２を貼着してもよい。また、図１１および図１２に示す実施の形態において、タンク本体１の周壁の外側に真空断熱用内壁１７，側周壁１８を設けて内外二重壁構造に形成してもよい。
【００２９】
また、上記各実施の形態では、タンクローリーに搭載される移動式のタンクが用いられているが、図１〜図１０に示す３つの実施の形態では、貯槽タンク等、定置式（定置用）のタンクを用いてもよい。また、図７〜図１２に示す３つの実施の形態では、防波板１５が、タンク本体１の長手方向に傾斜しているが、垂下していても（すなわち、傾斜していなくても）よいし、タンク本体１の内周面に沿う形状に形成した防波板１５（水平板でもよいし、ブロック状体でもよい）をタンク本体１の内周面から吊り下げ、防波板１５でタンク本体１の上部を覆うようにしてもよい。また、図１１および図１２に示す実施の形態において、断熱材１６および化粧板を用いなくてもよいし、図７および図８に示す実施の形態および図９および図１０に示す実施の形態において、気相部に対応する上記タンク本体１の部分に断熱材１６および化粧板を用いてもよい。
【図面の簡単な説明】
【００３０】
【図１】本発明の第１の密封容器の一実施の形態を示す断面図である。
【図２】上記密封容器の要部を示す説明図である。
【図３】真空断熱パネルの断面図である。
【図４】上記密封容器の製作方法を示す断面図である。
【図５】上記密封容器の製作方法を示す断面図である。
【図６】上記密封容器の製作方法を示す断面図である。
【図７】本発明の第１の密封容器の他の実施の形態を示す断面図である。
【図８】上記密封容器の要部を示す説明図である。
【図９】本発明の第１の密封容器のさらに他の実施の形態を示す断面図である。
【図１０】上記密封容器の要部を示す説明図である。
【図１１】本発明の第２の密封容器の一実施の形態を示す断面図である。
【図１２】上記密封容器の要部を示す説明図である。
【図１３】真空断熱パネルの変形例を示す断面図である。
【図１４】従来例を示す断面図である。
【図１５】他の従来例を示す断面図である。
【符号の説明】
【００３１】
１  タンク本体
２  真空断熱パネル
【図１】
2007040386.tif 000003
【図２】
2007040386.tif 000004
【図３】
2007040386.tif 000005
【図４】
2007040386.tif 000006
【図５】
2007040386.tif 000007
【図６】
2007040386.tif 000008
【図７】
2007040386.tif 000009
【図８】
2007040386.tif 000010
【図９】
2007040386.tif 000011
【図１０】
2007040386.tif 000012
【図１１】
2007040386.tif 000013
【図１２】
2007040386.tif 000014
【図１３】
2007040386.tif 000015
【図１４】
2007040386.tif 000016
【図１５】
2007040386.tif 000017